(57)【要約】【課題】指袋先端カット部付きの脱ぎやすい手袋を提供する。  【解決手段】親指から小指までの５本の指袋２〜６の先端をカットして、そのカット部開口７から指Ａの爪出しを可能とし、カット部の掌８側に指先側に伸びる半円形状の引張片９を形成し、手袋１を脱ぐときに引張片９をもって手袋１を引張れば、脱ぎやすくなる。一方、指袋２〜６の甲１０側のカット部分には爪Ｂの付け根のラインに対応する半円形凹部１１を形成し、手袋装着時に爪全体を露出させ、ファッション性を高める。【選択図】  図１
2006132056.tif 000002
【特許請求の範囲】
【請求項１】
指袋の先端をカットした爪出し用手袋であって、カット部の一部に先端側に伸びる引張片が形成されたことを特徴とする手袋。
【請求項２】
引張片が掌側のカット部分に形成されたことを特徴とする請求項１に記載の手袋。
【請求項３】
引張片が甲側のカット部分に形成されたことを特徴とする請求項１に記載の手袋。
【請求項４】
引張片が掌側及び甲側のカット部分の両方に形成されたことを特徴とする請求項１に記載の手袋。
【請求項５】
引張片が掌側のカット部分に形成され、甲側のカット部分には爪の付け根のラインに対応する半円形凹部が形成されたことを特徴とする請求項１に記載の手袋。
【請求項６】
ゴルフ用手袋である請求項１〜５のいずれかに記載の手袋。
【発明の詳細な説明】
【技術分野】
【０００１】
本発明は、指袋先端がカットされたゴルフ用などの手袋に関するものである。
【背景技術】
【０００２】
ゴルフ用手袋において、特に爪を長くした女性用として指袋の先端をカットした手袋が知られている。また、特許文献１には、指袋先端がカットされた釣り用手袋が開示されている。
【特許文献１】登録実用新案第３０１５６１９号公報
【発明の開示】
【発明が解決しようとする課題】
【０００３】
このような指袋の先端をカットした手袋は、指先から爪が見えるのでファッション性もよく、非常に重宝がられているが、その欠点としては手袋を脱ぐときに非常に脱ぎ難いことが指摘されている。
【０００４】
本発明は、上記に鑑み、脱ぎ易くした指袋先端カット部を備えた手袋の提供を目的としている。
【課題を解決するための手段】
【０００５】
上記目的を達成するため、本発明に係る爪出し用手袋では、指袋の先端をカットし、そのカット部の一部に先端側に伸びる引張片を形成し、手袋を脱ぐときに引張片をもって手袋を抜きやすくしたものである。
【０００６】
引張片は、指袋の掌側のカット部分、甲側のカット部分、あるいはその両方に形成するなど、いずれの箇所に形成してもよい。
【０００７】
また、引張片を指袋の掌側のカット部分に形成し、甲側のカット部分には爪の付け根のラインに対応する半円形凹部を形成する態様も例示できる。半円形凹部を形成することにより、手袋を装着した場合でも爪が付け根部分から露出されることになり、爪の形状がそのまま現われることになる。
【０００８】
このような手袋は、各種手袋に適用可能であるが、ゴルフ用手袋に適用すれば、ゴルフプレー中におけるファッション性も向上することに繋がる。
【発明の効果】
【０００９】
以上のように、本発明によると、指袋の先端カット部の一部に先端側に伸びる引張片を形成しているので、引張片をもって手袋を引張れば、手袋が脱ぎ易くなる。
【発明を実施するための最良の形態】
【００１０】
＜第１の実施形態＞
図１は本発明の第１の実施形態であるゴルフ用手袋の甲側の斜視図、図２（ａ）は図１の指袋先端のカット部分を示す甲側からみた斜視図、同図（ｂ）は掌側からみた正面図である。
【００１１】
図に示すように、本実施形態の手袋１は、親指から小指までの５本の指袋２〜６の先端をカットして、そのカット部開口７から指Ａの爪出しが可能に形成された手袋であって、カット部の掌８側に指先側に伸びる引張片９が形成されたものである。この引張片９は、半円形状に先端側に突出しているが、その突出長さは、手袋装着時に指先よりも後退した、指先の腹部分程度であるのが好ましい。
【００１２】
一方、甲１０側のカット部分には爪Ｂの付け根のラインに対応する半円形凹部１１が形成され、手袋装着時に爪全体が露出するように設定されている。
【００１３】
手袋１は、掌部８、甲部１０、指袋２〜６、および甲部側に設けられた係着手段１２とから構成される一般的なものである。また、手袋１の成形は、掌部８および掌側指部が一体となった掌側の裁断片１５と、甲部１０および甲側指部が一体となった甲側の裁断片１６とが縫い合わされて形成される。また、指部においては、掌側と甲側の裁断片１５，１６の間に伸縮性連結片１７が介在されて縫い合わされて指袋２〜６が形成される。
【００１４】
なお、連結片１７は、伸縮性を有するものに限らず、各種素材を使用することができる。また、連結片１７を介在させずに掌側および甲側の裁断片１５，１６をそのまま縫い合わせて指袋を形成するようにしてもよい。
【００１５】
また、本実施形態では、親指部１８は、上記裁断片１５，１６とは別体で裁断されたものを縫い合わせて一体化し、これを掌部８および甲部１０に縫製するようにしているが、これに限らず、掌側および甲側の裁断片１５，１６に親指部分も含むようにし、これらを縫い合わせて親指袋を形成するようにしてもよい。
【００１６】
また、係着手段１２は、係着片１２ａと雌側の面ファスナー片１２ｂとから構成され、係着片１２ａが甲部１０に形成されたスリット２０の一側に縫製され、また、雌側の面ファスナー片１２ｂがスリットの他側において甲部側に止着されている。
【００１７】
上記構成の手袋１においては、手袋を脱ぐときに、指袋２〜６の掌側のカット部分に形成した引張片９を指先側に引張る。このとき、引張片９はカット部分より指先側に突出しているため、引張片９が掴みやすくなり、手袋を脱ぎ易くなる。
【００１８】
また、甲側のカット部分には爪Ｂの付け根のラインに対応する半円形凹部１１を形成しているので、手袋１を装着した場合でも爪Ｂが付け根部分から露出されることになり、爪Ｂの形状がそのまま現われることになり、ファッション性も向上する。
【００１９】
＜第２の実施形態＞
図３は第２の実施形態を示すゴルフ用手袋の甲側からみた斜視図である。図に示すように、本実施形態では、引張片９が掌８側のカット部分に形成され、甲１０側は横直線状にカットされた態様である。
【００２０】
この例でも、上記第１の実施形態と同様に、引張片９はカット部分より指先側に突出しているため、引張片９が掴みやすくなり、手袋を脱ぎ易くなる。
【００２１】
＜第３の実施形態＞
図４は第３の実施形態を示すゴルフ用手袋の甲側からみた斜視図である。図に示すように、本実施形態では、引張片９が掌８側及び甲１０側のカット部分の両方に形成されている。
【００２２】
この場合、手袋１を脱ぐとき、掌８側及び甲１０側のいずれかの引張片９，９を引張れば手袋を脱ぎやすくなる。
【００２３】
なお、本発明は、上記実施形態に限定されるものではなく、本発明の範囲内で多くの修正・変更を加えることができるのは勿論である。例えば、上記実施形態ではゴルフ用手袋に本発明を適用した例を示したが、一般用手袋、作業用手袋などにも適用できることは勿論である。
【図面の簡単な説明】
【００２４】
【図１】本発明の第１の実施形態であるゴルフ用手袋の甲側の斜視図
【図２】（ａ）は図１の指袋先端のカット部分を示す甲側からみた斜視図、（ｂ）は掌側からみた正面図
【図３】本発明の第２の実施形態を示すゴルフ用手袋の甲側からみた斜視図
【図４】本発明の第３の実施形態を示すゴルフ用手袋の甲側からみた斜視図
【符号の説明】
【００２５】
Ａ    指
Ｂ    爪
１    手袋
２〜６    指袋
７    カット部開口
８    掌部
９    引張片
１０    甲部
１１    凹部
【図１】
2006132056.tif 000003
【図２】
2006132056.tif 000004
【図３】
2006132056.tif 000005
【図４】
2006132056.tif 000006